(57)【要約】【課題】乗り場での行先階登録から乗車後行先階にかごが到着するまでの時間を総合的に考慮して表示するコンテンツを選択する。【解決手段】エレベーター表示システム１は、乗り場４にて利用者が行先階の登録操作をすると、登録操作がされてからかご２が当該利用者の乗車後登録された行先階に到着するまでに要するエレベーター走行時間を算出するＥＶ走行時間算出部１３と、算出されたエレベーター走行時間と同じ時間長のコンテンツをコンテンツ情報記憶部１５の中から選択するコンテンツ選択部１４１と、選択されたコンテンツを、登録操作がされてからかご２が乗り場４に到着するまでの間は乗り場表示器５に、乗り場４から行先階に到着するまでの間はかご内表示器３に、それぞれ表示させる表示制御部１４２と、を有する。【選択図】図１
2019210082.tif 000002
【特許請求の範囲】
【請求項１】
エレベーターの乗り場に設置される乗り場表示器と、
エレベーターのかご内に設置されるかご内表示器と、
前記各表示手段での表示対象となる複数のコンテンツを記憶するコンテンツ記憶手段と、
乗り場において利用者が行先階の登録操作をしたときに、登録操作がされてからかごが当該利用者の乗車後登録された行先階に到着するまでに要する時間をエレベーター走行時間として算出する算出手段と、
前記算出手段により算出されたエレベーター走行時間に基づき前記コンテンツ記憶手段の中からコンテンツを選択する選択手段と、
前記選択手段により選択されたコンテンツの前記乗り場表示器及び前記かご内表示器への表示を制御する表示制御手段と、
を有することを特徴とするエレベーター表示システム。
【請求項２】
前記選択手段は、エレベーター走行時間と同様の時間長のコンテンツを選択し、
前記表示制御手段は、前記選択手段により選択されたコンテンツを、前記利用者が乗り場にいるときには前記乗り場表示器に、前記利用者がかごに乗車した後は前記かご内表示器に、続けて表示するよう制御することを特徴とする請求項１に記載のエレベーター表示システム。
【請求項３】
前記表示制御手段は、かごが登録階で停止している間、前記乗り場表示器及び前記かご内表示器へのコンテンツの表示を停止するよう制御することを特徴とする請求項２に記載のエレベーター表示システム。
【請求項４】
前記表示制御手段は、かごが行先階に向けて移動を開始したことにより停止中のコンテンツの表示を再開する際、所定時間巻き戻してから当該コンテンツを前記かご内表示器に表示するよう制御することを特徴とする請求項３に記載のエレベーター表示システム。
【請求項５】
前記算出手段は、前記登録操作がされてからかごが行先階の登録階に到着するまでに要する移動時間及び当該利用者が登録階でかごに乗車してからかごが行先階に到着するまでに要する移動時間を算出し、算出した各移動時間にかごの登録階での停止時間を合算することでエレベーター走行時間を算出することを特徴とする請求項１に記載のエレベーター表示システム。
【請求項６】
前記算出手段は、利用者が乗り場において前記登録操作をしたことによってエレベーター走行時間を算出した後に、他の利用者が前記登録操作をしたことによってかごが前記乗り場以外の階で停止するようになる場合、当該停止する階でのかご停止時間を考慮して、エレベーター走行時間を再計算し、
前記選択手段は、前記算出手段によりエレベーター走行時間が再計算されると前記かご停止時間と同様の時間長のコンテンツを追加して選択し、
前記表示制御手段は、前記選択手段により追加して選択されたコンテンツの表示を制御することを特徴とする請求項１に記載のエレベーター表示システム。
【請求項７】
前記選択手段は、前記算出手段によりエレベーター走行時間が再計算されたときに未表示のコンテンツがある場合、未表示のコンテンツを、未表示のコンテンツの表示時間と前記かご停止時間の合計時間と同様の時間長のコンテンツで差し替えることを特徴とする請求項６に記載のエレベーター表示システム。
【請求項８】
前記表示制御手段は、複数の利用者がかごに乗車している間、前記選択手段により複数の利用者がそれぞれ前記登録操作をしたことに伴い選択されているコンテンツを前記かご内表示器に表示するよう制御することを特徴とする請求項１に記載のエレベーター表示システム。
【請求項９】
前記表示制御手段は、いずれかの利用者が降車した後、かごに乗車中の利用者に対応するコンテンツのみを前記かご内表示器に表示するよう制御することを特徴とする請求項８に記載のエレベーター表示システム。
【請求項１０】
前記表示制御手段は、複数の利用者が同じ乗り場で前記登録操作をした場合、複数の利用者が乗り場にいる間、前記選択手段により複数の利用者がそれぞれ前記登録操作をしたことに伴い選択されているコンテンツを前記乗り場表示器に表示するよう制御することを特徴とする請求項１に記載のエレベーター表示システム。
【請求項１１】
エレベーターの乗り場に設置される乗り場表示器及びエレベーターのかご内に設置されるかご内表示器での表示対象となる複数のコンテンツを記憶するコンテンツ記憶手段にアクセス可能なコンピュータを、
乗り場において利用者が行先階の登録操作をしたときに、登録操作がされてからかごが当該利用者の乗車後登録された行先階に到着するまでに要する時間をエレベーター走行時間として算出する算出手段、
前記算出手段により算出されたエレベーター走行時間に基づき前記コンテンツ記憶手段の中からコンテンツを選択する選択手段、
前記選択手段により選択されたコンテンツの前記乗り場表示器及び前記かご内表示器への表示を制御する表示制御手段、
として機能させるためのプログラム。
【発明の詳細な説明】
【技術分野】
【０００１】
本発明は、エレベーター表示システム及びプログラム、特にエレベーターの乗り場とかご内の双方に表示器が設けられている場合のコンテンツの表示に関する。
【背景技術】
【０００２】
従来からエレベーターのかご内の表示器に様々な情報を表示する技術がある。例えば、利用者の属性情報及び次着床時間を取得し、取得した属性情報に対応し、かつ取得した次着床時間より短い表示時間長のコンテンツ情報をかご内の表示器に表示する技術が提案されている（例えば、特許文献１）。
【０００３】
ところで、近年では、表示器をかご内だけでなく乗り場にも設置しているビルがある。このビルにおいては、乗り場でかごの到着を待っている利用者に対してもコンテンツを提供することが可能である。
【先行技術文献】
【特許文献】
【０００４】
【特許文献１】特許第５９５９１２０号明細書
【特許文献２】特開２００５−１７９００６号公報
【特許文献３】特開２０１５−１６０６８３号公報
【特許文献４】特開２０１５−０８６０１４号公報
【特許文献５】特開平０８−２１７３４８号公報
【特許文献６】国際公開第２０１６／１９４２３１号
【特許文献７】特開２０１６−０４４００２号公報
【特許文献８】特開２００２−１０４７４７号公報
【発明の概要】
【発明が解決しようとする課題】
【０００５】
しかしながら、従来においては、かご内で表示するコンテンツと乗り場で表示するコンテンツとに関連性を持たせていなかった。そのため、表示するコンテンツの長さは、乗り場でのかごの待機時間及びかごへの乗車時間それぞれより短いコンテンツを選択せざるを得なかった。
【０００６】
本発明は、乗り場での行先階登録から乗車後行先階にかごが到着するまでの時間を総合的に考慮して表示するコンテンツを選択することを目的とする。
【課題を解決するための手段】
【０００７】
本発明に係るエレベーター表示システムは、エレベーターの乗り場に設置される乗り場表示器と、エレベーターのかご内に設置されるかご内表示器と、前記各表示手段での表示対象となる複数のコンテンツを記憶するコンテンツ記憶手段と、乗り場において利用者が行先階の登録操作をしたときに、登録操作がされてからかごが当該利用者の乗車後登録された行先階に到着するまでに要する時間をエレベーター走行時間として算出する算出手段と、前記算出手段により算出されたエレベーター走行時間に基づき前記コンテンツ記憶手段の中からコンテンツを選択する選択手段と、前記選択手段により選択されたコンテンツの前記乗り場表示器及び前記かご内表示器への表示を制御する表示制御手段と、を有するものである。
【０００８】
また、前記選択手段は、エレベーター走行時間と同様の時間長のコンテンツを選択し、前記表示制御手段は、前記選択手段により選択されたコンテンツを、前記利用者が乗り場にいるときには前記乗り場表示器に、前記利用者がかごに乗車した後は前記かご内表示器に、続けて表示するよう制御するものである。
【０００９】
また、前記表示制御手段は、かごが登録階で停止している間、前記乗り場表示器及び前記かご内表示器へのコンテンツの表示を停止するよう制御するものである。
【００１０】
また、前記表示制御手段は、かごが行先階に向けて移動を開始したことにより停止中のコンテンツの表示を再開する際、所定時間巻き戻してから当該コンテンツを前記かご内表示器に表示するよう制御するものである。
【００１１】
また、前記算出手段は、前記登録操作がされてからかごが行先階の登録階に到着するまでに要する移動時間及び当該利用者が登録階でかごに乗車してからかごが行先階に到着するまでに要する移動時間を算出し、算出した各移動時間にかごの登録階での停止時間を合算することでエレベーター走行時間を算出するものである。
【００１２】
また、前記算出手段は、利用者が乗り場において前記登録操作をしたことによってエレベーター走行時間を算出した後に、他の利用者が前記登録操作をしたことによってかごが前記乗り場以外の階で停止するようになる場合、当該停止する階でのかご停止時間を考慮して、エレベーター走行時間を再計算し、前記選択手段は、前記算出手段によりエレベーター走行時間が再計算されると前記かご停止時間と同様の時間長のコンテンツを追加して選択し、前記表示制御手段は、前記選択手段により追加して選択されたコンテンツの表示を制御するものである。
【００１３】
また、前記選択手段は、前記算出手段によりエレベーター走行時間が再計算されたときに未表示のコンテンツがある場合、未表示のコンテンツを、未表示のコンテンツの表示時間と前記かご停止時間の合計時間と同様の時間長のコンテンツで差し替えるものである。
【００１４】
また、前記表示制御手段は、複数の利用者がかごに乗車している間、前記選択手段により複数の利用者がそれぞれ前記登録操作をしたことに伴い選択されているコンテンツを前記かご内表示器に表示するよう制御するものである。
【００１５】
また、前記表示制御手段は、いずれかの利用者が降車した後、かごに乗車中の利用者に対応するコンテンツのみを前記かご内表示器に表示するよう制御するものである。
【００１６】
また、前記表示制御手段は、複数の利用者が同じ乗り場で前記登録操作をした場合、複数の利用者が乗り場にいる間、前記選択手段により複数の利用者がそれぞれ前記登録操作をしたことに伴い選択されているコンテンツを前記乗り場表示器に表示するよう制御するものである。
【００１７】
本発明に係るプログラムは、エレベーターの乗り場に設置される乗り場表示器及びエレベーターのかご内に設置されるかご内表示器での表示対象となる複数のコンテンツを記憶するコンテンツ記憶手段にアクセス可能なコンピュータを、乗り場において利用者が行先階の登録操作をしたときに、登録操作がされてからかごが当該利用者の乗車後登録された行先階に到着するまでに要する時間をエレベーター走行時間として算出する算出手段、前記算出手段により算出されたエレベーター走行時間に基づき前記コンテンツ記憶手段の中からコンテンツを選択する選択手段、前記選択手段により選択されたコンテンツの前記乗り場表示器及び前記かご内表示器への表示を制御する表示制御手段、として機能させるためのものである。
【発明の効果】
【００１８】
本発明によれば、乗り場での行先階登録から乗車後行先階にかごが到着するまでの時間を総合的に考慮して表示するコンテンツを選択することができる。これにより、利用者は、乗り場で行先階を登録してからかごに乗車し、かごが行先階に到着するまでの間、コンテンツを連続して見ることができる。
【図面の簡単な説明】
【００１９】
【図１】本発明に係るエレベーター表示システムの一実施の形態を示すブロック構成図である。
【図２】本実施の形態におけるコンテンツ情報記憶部に格納されている情報のデータ構成例を示す図である。
【図３】本実施の形態におけるコンテンツ表示処理を示すフローチャートである。
【図４】本実施の形態において、かごの運行状況、走行時間、コンテンツの選択パターン及び表示制御の関係を示す図である。
【図５】本実施の形態における各表示器の表示内容の遷移を示す図である。
【図６】本実施の形態において、かごの運行状況、走行時間、コンテンツの選択パターン及び表示制御の関係を示す図である。
【図７】本実施の形態における各表示器の表示内容の遷移を示す図である。
【図８】本実施の形態における各表示器の表示内容の遷移を示す図である。
【発明を実施するための形態】
【００２０】
以下、図面に基づいて、本発明の好適な実施の形態について説明する。
【００２１】
図１は、本発明に係るエレベーター表示システムの一実施の形態を示すブロック構成図である。本実施の形態におけるエレベーター表示システム１は、エレベーターが設置されている施設において表示器への表示の制御を行うための構成要素を有するシステムである。本実施の形態では、施設としてビルを想定して説明する。ビルには、エレベーター装置が設置されており、エレベーター装置のかご２の中には、かご２の利用者向けにコンテンツを表示する表示器（以下、「かご内表示器」ともいう）３が設置されている。また、ビルの各階にある乗り場４にも、かご２の到着を待つ利用者向けにコンテンツを表示する表示器（以下、「乗り場表示器」ともいう）５が設置されている。表示器３，５は、設置場所に適応した大きさの液晶パネル等で実現される。乗り場４には、更に利用者が乗り場４にかご２を呼ぶと共に行先階を指定するために操作する行先階登録操作盤６が設置されている。
【００２２】
なお、ビルの各階には、同等の機能を有する表示器５及び行先階登録操作盤６が設置されているので、図１には、便宜的に１組（１階分）のみ図示した。また、ビルには、複数のかご２が設置されていてもよいが、各かご２のかご内表示器３に対して同等の表示制御を行うので、図１には、便宜的に１台のかご２のみ図示した。また、本実施の形態では、かご２が１台のみ設置されるもの、あるいは１台のかご２に着目して説明する。
【００２３】
図１に示す操作受付部１１、エレベーター（ＥＶ）運行制御部１２、エレベーター（ＥＶ）走行時間算出部１３、コンテンツ管理部１４及びコンテンツ情報記憶部１５は、エレベーター表示システム１の中核を成す構成要素であり、１又は複数のコンピュータにより実現される。エレベーター監視装置を実現する既存のコンピュータを利用してもよい。各構成要素１１〜１５は、同じ１台のコンピュータに搭載されていても、複数のコンピュータに分散して搭載されていてもよい。
【００２４】
コンピュータは、ＣＰＵ、ＲＯＭ、ＲＡＭ、記憶手段としてハードディスクドライブ（ＨＤＤ）、ユーザインタフェースを構成する入力手段としてマウスやキーボード及び表示手段としてディスプレイ、通信手段としてネットワークインタフェースを有している。構成要素１１〜１４は、コンピュータと、コンピュータに搭載されたＣＰＵで動作するプログラムとの協調動作により実現される。また、コンテンツ情報記憶部１５は、ＨＤＤにて実現される。
【００２５】
本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２６】
操作受付部１１は、行先階登録操作盤６に対する利用者の操作内容、具体的には利用者が指定した行先階を受け付ける。ＥＶ運行制御部１２は、主にかご２の運行制御を行う。例えば、利用者が行先階登録操作盤６を操作して行先階を登録すると、かご２を利用者のいる乗り場４（操作された行先階登録操作盤６の設置階）へ移動させた後、登録された行先階まで移動させる。ＥＶ走行時間算出部１３は、算出手段として設けられ、乗り場４において利用者が行先階登録操作盤６に行先階の登録操作をしたときに、登録操作がされてからかご２が当該利用者の乗車後登録された行先階に到着するまでに要する時間をエレベーター走行時間として算出する。コンテンツ管理部１４は、コンテンツ情報記憶部１５に記憶されるコンテンツの管理及びコンテンツに関連する処理を行う。コンテンツ管理部１４には、コンテンツ選択部１４１及び表示制御部１４２が含まれている。コンテンツ選択部１４１は、選択手段として設けられ、ＥＶ走行時間算出部１３により算出されたエレベーター走行時間に基づきコンテンツ情報記憶部１５の中から表示器３，５に表示させる１又は複数のコンテンツを選択する。表示制御部１４２は、表示制御手段として設けられ、コンテンツ選択部１４１により選択されたコンテンツの表示器３，５への表示を制御する。
【００２７】
図２は、本実施の形態におけるコンテンツ情報記憶部１５に格納されている情報のデータ構成例を示す図である。コンテンツ情報記憶部１５には、表示器３，５での表示対象の候補となる複数のコンテンツが記憶される。本実施の形態におけるコンテンツは、走行時間表示用コンテンツと余剰時間表示用コンテンツの２種類に大別される、走行時間表示用コンテンツは、ＥＶ走行時間算出部１３によって算出されたエレベーター走行時間内において表示候補とされるコンテンツである。余剰時間表示用コンテンツは、かご２の運行変化により登録操作された行先階に到着するまでの所要時間が当初算出されたエレベーター走行時間以上かかるようになった場合、当初選択されたコンテンツの表示時間では表示に空き時間ができてしまうので、その空き時間、換言すると延長された時間分の走行時間に表示するためのコンテンツである。各コンテンツ情報は、当該コンテンツを識別するための識別情報（コンテンツＩＤ）に、当該コンテンツの表示に要する時間（表示時間）及び各表示器３，５に表示される当該コンテンツのデータ（コンテンツデータ）が紐付けされている。なお、コンテンツデータには、コンテンツデータの格納先を特定する情報でもよい。また、図２に示すコンテンツ情報のコンテンツの構成は一例であって、コンテンツ数や各コンテンツの表示時間はこの例に限るものではない。ただ、後述する説明からも明らかになるが、様々な表示時間のコンテンツを登録しておくのが好適である。
【００２８】
次に、本実施の形態における動作について説明するが、最初にＥＶ運行制御部１２におけるかご２の運行制御について説明する。
【００２９】
ＥＶ運行制御部１２は、行先階登録操作盤６に対する利用者の行先階登録操作に応じてかご２を昇降させる。すなわち、利用者が乗り場４に設置の行先階登録操作盤６から行先階を登録した場合、現時点で行先階が他に登録されていない状態だとすると、ＥＶ運行制御部１２は、かご２を現在の位置（停止している階、以下、「停止階」という）から利用者のいる乗り場４（行先階が登録された階、以下、「登録階」という）へ移動させる。ＥＶ運行制御部１２は、かご２が登録階に到着し、停止させると、扉を開制御する。扉が開くと利用者はかご２に乗り込む。その後、ＥＶ運行制御部１２は、自動的に、若しくは利用者による操作、具体的にはかご２内の操作盤にある閉ボタンへの操作に応じて扉を閉制御する。扉が閉まると、ＥＶ運行制御部１２は、かご２を登録された行先階まで移動させる。ＥＶ運行制御部１２は、かご２が行先階に到着し、停止させると、扉を開制御する。扉が開くと利用者はかご２から降りる。このように、利用者により行先階が登録されると、かご２は、ＥＶ運行制御部１２による制御のもと、現在位置（停止階）から登録階まで移動し、登録階で停止し、利用者の乗車後、登録階から行先階まで移動する。
【００３０】
以上のようにかご２が運行されているときに、コンテンツは、表示器３，５に表示されることになるが、以下、本実施の形態におけるコンテンツ表示処理について図３に示すフローチャートを用いて説明する。なお、ここでは、かご２は１台のみを対象として説明する。また、説明の便宜上、特に断らない限り、行先階の登録時にかご２には誰も乗車していないものとする。
【００３１】
例えば、１階にいる利用者がエレベーターを利用して１２階に行きたいために１階の乗り場４にある行先階登録操作盤６を操作して１２階を行先階として登録する。操作受付部１１は、その利用者による行先階の登録操作を受け付ける（ステップ１０１）。ＥＶ運行制御部１２は、操作受付部１１が受け付けた登録内容、具体的には登録階が１階であり、１２階を行先階とする登録内容を取得すると、かご２を登録階まで移動させることになる。ここで、登録操作がされた時点でかご２は５階に停止していたとする。この場合のかご２の運行状況（ＥＶ運行状況）、走行時間、コンテンツの選択パターン、表示制御の関係を図４に示している。
【００３２】
ＥＶ走行時間算出部１３は、ＥＶ運行制御部１２から現在の停止階（５階）、登録階（１階）及び行先階（１２階）というかご２が移動する階を特定しうる情報を取得すると、行先階の登録時からかご２の行先階到着までの所要時間、すなわち上記エレベーター走行時間を算出する（ステップ１０２）。なお、本実施の形態では、行先階が登録されると同時に停止中のかご２が登録階に向けて移動を開始するものとする。
【００３３】
前述したかご２の運行制御に基づくと、エレベーター走行時間は、現在位置（５階）から登録階（１階）までの移動時間（利用者にとっては待ち時間）（Ａ）、利用者が乗り込むための登録階での停止時間（Ｂ）及び登録階から行先階（１２階）までの移動時間（利用者にとっては乗車時間）（Ｃ）で構成される。ＥＶ走行時間算出部１３は、エレベーター装置の走行能力を把握しているため移動方向及び移動階数がわかると、現在の階から移動先の階までの走行時間を算出できるものとする。つまり、移動時間（Ａ），（Ｃ）が求まる。停止時間（Ｂ）は、扉の開閉制御の運用に従うものとして乗り場４における停止時間、具体的にはかご２が停止してから扉が開閉した後走行可能な状態になるまでの時間を取得する。この停止時間（Ｂ）は、自動的な扉の開閉動作に基づく時間である。実際には、利用者がかご操作盤の閉ボタンを操作して早めに閉めたり、その逆に扉の開状態を延長させたりする場合も想定できるが、利用者の操作は予測困難なので、ここでは、扉の自動的な開閉制御により得られる停止時間を用いる。
【００３４】
図４には、現在位置（現時点における停止階（５階））から登録階（１階）までの移動に２４秒、登録階での停止に６秒、登録階から行先階までの移動に３４秒、それぞれかかるため、エレベーター走行時間は、これらの各所要時間を合計して６６秒と算出される場合の例が示されている。
【００３５】
以上のようにしてエレベーター走行時間が算出されると、コンテンツ選択部１４１は、そのエレベーター走行時間に基づき表示器３，５に表示させるコンテンツをコンテンツ情報記憶部１５の中から選択する（ステップ１０３）。どのコンテンツを選択するかは、種々のパターンがある。
【００３６】
例えば、コンテンツの表示時間がエレベーター走行時間と同じ時間長のコンテンツ、図２，４に示す例によるとエレベーター走行時間（６６秒）と同じコンテンツＣ９を選択する（コンテンツ選択パターン１）。あるいは、複数のコンテンツの表示時間の合計がエレベーター走行時間と同じ時間長となるコンテンツの組合せ、図４に示す例によるとコンテンツＣ１，Ｃ８を選択する（コンテンツ選択パターン２）。本実施の形態では、エレベーター走行時間と同じ時間長のコンテンツ又はその組合せが存在する例を設定したが、同じ時間長のコンテンツが存在しない場合、コンテンツ選択部１４１は、表示器３，５に表示されない時間を極力無くすため、エレベーター走行時間と同様の時間長のコンテンツを選択する。本実施の形態において「同様の時間長」というのは、エレベーター走行時間より短いもののエレベーター走行時間に近い時間長のコンテンツのことをいう。本実施の形態では、エレベーター走行時間に最も近い時間長のコンテンツを選択する。選択するコンテンツは、１つとせずに複数のコンテンツを選択してもよい。
【００３７】
表示制御部１４２は、ＥＶ運行制御部１２から停止階（５階）、登録階（１階）及び行先階（１２階）というかご２が移動する階を特定しうる情報を取得し、また、ＥＶ走行時間算出部１３からエレベーター走行時間を構成する時間（Ａ），（Ｂ），（Ｃ）を取得する。ここで、コンテンツ選択部１４１によりコンテンツＣ９が選択されている場合、表示制御部１４２は、行先階登録をした利用者のために、当該利用者が行先階登録してから行先階に到着するまでの間、すなわちエレベーター走行時間の間、１つのコンテンツＣ９を継続して表示させるように制御する。具体的には、コンテンツＣ９を行先階登録時からかご２が登録階（１階）に到着するまでの間、乗り場表示器５に表示させる（ステップ１０４）。そして、かご２が登録階（１階）から行先階（１２階）に到着するまでの間、かご内表示器３に表示させる（ステップ１０６）。このように、１つのコンテンツを表示器５から表示器３に続けて表示することにより、換言すると、表示器５への表示用と表示器３への表示用という別個のコンテンツを選択するのではなく、表示器５と表示器３に続けて表示する時間長のコンテンツを選択し、表示制御することにより、利用者は、乗り場４でかご２を待っているときからかご２に乗車し下車するときまで１つの同じコンテンツＣ９を継続して見ることができる。
【００３８】
ところで、かご２が登録階（１階）に停止すると、乗り場４にいる利用者は、かご２に乗り込むことになるが、このかご２への移動中はコンテンツを見ない。従って、本実施の形態においては、利用者がかご２に移動している間、コンテンツの表示器３，５への表示を停止させるよう制御してもよい（ステップ１０５）。もちろん、コンテンツ選択パターン１，２のように、かご２が登録階（１階）に停止している間、コンテンツを少なくとも一方の表示器３，５に表示させてもよい。
【００３９】
なお、利用者は、かご２が登録階に停止している間に乗り込むので、本実施の形態では、登録階での停止時間（Ｂ）と利用者がかご２に乗り込む所要時間とは同義とみなして、停止時間（Ｂ）を利用者がかご２に乗り込む時間と表現して説明する場合がある。
【００４０】
停止時間（Ｂ）の間はコンテンツを表示しないということは、エレベーター走行時間から停止時間（Ｂ）を差し引いた時間長のコンテンツがあればよい。本実施の形態の場合、６０秒（＝６６−６）のコンテンツ、図２に示す例によるとコンテンツＣ８を選択する（コンテンツ選択パターン３）。
【００４１】
この場合、表示制御部１４２は、コンテンツＣ８を行先階登録時からかご２が登録階（１階）に到着するまでの間、乗り場表示器５に表示させ、利用者がかご２に乗り込んでいる間（登録階に停止している間）、表示器３，５への表示を停止する。そして、かご２が登録階（１階）からの移動を開始すると、コンテンツＣ８をかご内表示器３に表示させることによってコンテンツの表示を再開する。コンテンツＣ８は、行先階（１２階）に到着するまでの間、かご内表示器３に表示される。
【００４２】
このようにして、コンテンツは、利用者が行先階を登録してから行先階に下車するまでの間、表示器３，５に表示される。
【００４３】
なお、ここでは、エレベーター走行時間から停止時間（Ｂ）を差し引いた時間長（６０秒）のコンテンツＣ８を選択した例を示したが、コンテンツ選択部１４１は、表示時間の合計が６０秒となるコンテンツ、例えばコンテンツＣ３，Ｃ７の組合せを選択してもよい（コンテンツ選択パターン４）。
【００４４】
また、コンテンツ選択パターン４では、表示制御部１４２は、登録階（１階）への停止に伴いコンテンツＣ７の表示を一時停止し、かご２の移動開始に伴い停止した時点からコンテンツＣ７の表示を再開するようにした。ただ、コンテンツＣ７の表示を再開する際、表示制御部１４２は、コンテンツＣ７を所定時間Ｒ巻き戻してからコンテンツＣ７の表示を再開するようにしてもよい。これにより、乗り場４からかご２に移動した利用者が見るコンテンツＣ７の連続性（つながり）が把握しやすくなる。ただ、巻き戻してから表示を再開すると、巻き戻した時間Ｒ分、コンテンツＣ３が表示できなくなる。そこで、コンテンツを巻き戻して表示する場合、コンテンツ選択部１４１は、その巻き戻し時間長短いコンテンツを選択するようにしてもよい。例えば、戻し時間長が４秒だとすると、本実施の形態の場合、５６秒（＝６６−６−４）の時間長のコンテンツが必要となってくるので、コンテンツ選択部１４１は、図２に示す例によるとコンテンツＣ１，Ｃ７を選択する（コンテンツ選択パターン５）。これにより、選択されたコンテンツ全体を、利用者に提供することができる。
【００４５】
ところで、本実施の形態では、登録階での停止前後で同じコンテンツ（例えば、コンテンツ選択パターン４，５ではコンテンツＣ７）を表示させるようにした。もちろん、移動時間（Ａ），（Ｃ）に合致する２つのコンテンツを選択してもよい。すなわち、コンテンツ選択部１４１は、登録階到着時に表示器５への表示が終了する時間長のコンテンツと、行先階到着時に表示器３への表示が終了するコンテンツと、の組合せを選択してもよい。ただ、表示の一時停止前後で同じコンテンツが表示されることによって、利用者をコンテンツにより注目させることができる。すなわち、乗り場４で見ていたコンテンツの表示器５への表示が停止されると、利用者は、その続きを見たくなると考えられるので、乗り場４で表示したコンテンツの続きをかご２の中でも表示させることで、利用者をコンテンツに注目させやすくなる。
【００４６】
本実施の形態においては、コンテンツを乗り場表示器５からかご内表示器３に続けて表示させるようにしたことを特徴としている。この「続けて表示」というのは、乗り場４でもかご２でもコンテンツを単に表示し続けるという意味ではない。以上の説明から明らかなように、乗り場表示器５及びかご内表示器３に連続性を持たせてコンテンツを表示させるということである。連続性を持たせる一形態として、本実施の形態では、コンテンツＣ７〜Ｃ９で例示したように一のコンテンツを乗り場４でもかご２でも表示させている。つまり、「続けて表示」というのは、利用者が乗り場４からかご２へと場所を変えたことによって乗り場表示器５に表示させていたコンテンツの表示を終了させるのではなく、変えた場所（かご２）のかご内表示器３に、乗り場表示器５に表示させていたコンテンツを継続して表示させるということである。
【００４７】
図５は、前述した表示制御により各表示器３，５に対する画面の表示の遷移を示す図である。
【００４８】
利用者が行先階を登録すると（Ｓ１１）、表示制御部１４２は、当該利用者向けにコンテンツを乗り場表示器５に表示させる。なお、図５では利用者向けのコンテンツ“ＣＡ”が表示器３，５に表示されている場合、 “ＣＡ”と図示している。何も表示されていないブランクの画面は任意の表示を意味している。図７，８においても同様に図示する。
【００４９】
かご２が登録階に到着すると（Ｓ１２）、表示制御部１４２は、各表示器３，５への表示を停止する。利用者がかご２に乗り込み、かご２が行先階に向けての移動を開始すると（Ｓ１３）、表示制御部１４２は、当該利用者向けにコンテンツをかご内表示器３に表示させる。そして、かご２が行先階に到着すると（Ｓ１４）、表示制御部１４２は、かご内表示器３への表示を停止する。
【００５０】
上記動作の説明では、一の利用者のみがいる場合で説明した。実際には、例えば、行先階登録時における停止階から登録階の間の階で、他の利用者が行先階登録を行い、かご２の乗り込んでくる場合がある。このようなケースの場合のかご２の運行状況（ＥＶ運行状況）、走行時間、コンテンツの選択パターン、表示制御の関係を図６に示す。
【００５１】
図６には、現在位置（現時点における停止階（１２階））から登録階（１階）までの移動に３４秒、登録階での停止に６秒、登録階から行先階までの移動に２４秒、それぞれかかるため、エレベーター走行時間は６６秒と算出される場合の例が示されている。
【００５２】
エレベーター走行時間が算出されると、コンテンツ選択部１４１は、前述したようにエレベーター走行時間に基づき表示器３，５に表示させるコンテンツをコンテンツ情報記憶部１５の中から選択する。図６には、コンテンツＣ２，Ｃ７の組合せで選択された例が示されている（コンテンツ選択パターン６）。この場合、表示制御部１４２は、前述したコンテンツ選択パターン４と同様の表示制御を行うが、かご２が停止階（１２階）から、先に行先階登録をした利用者（以下、「利用者Ａ」）による登録階（１階）（以下、「登録階Ａ」という）への移動中に、停止階と登録階Ａとの間のいずれかの階で他の利用者（以下、「利用者Ｂ」）が行先階登録操作盤６を操作して行先階の登録を行ったとする。なお、ここでは、利用者Ｂも利用者Ａと同じ行先階（５階）を指定し、かご２が停止階（１２階）と利用者Ｂにおける登録階（以下、「登録階Ｂ」という）の間を移動中であったために、ＥＶ運行制御部１２は、かご２を登録階Ｂに停止させるように運行制御を行う。そうすると、かご２は、登録階Ｂに停止することになるので、登録階Ｂへの停止時間（Ｂ）分は少なくとも登録階Ａへの到着が遅れ、更に行先階への到着が遅れることになる。この場合、エレベーター走行時間は延びることになるので、利用者Ｂによる行先階登録前に選択したコンテンツでは表示時間が短いことになる。
【００５３】
そこで、本実施の形態においては、停止階（１２階）と登録階Ａ（１階）との間で行先階登録がされると、ＥＶ運行制御部１２は、その登録内容（かご２の運行内容）をＥＶ走行時間算出部１３に通知する。ＥＶ走行時間算出部１３は、この通知を受けると、ＥＶ走行時間を再計算する。すなわち、ＥＶ走行時間算出部１３は、登録階Ｂへの停止時間を考慮したＥＶ走行時間を算出することになる。
【００５４】
コンテンツ選択部１４１は、ＥＶ走行時間算出部１３によりエレベーター走行時間が再計算されると、再計算前のエレベーター走行時間との差を求め、その時間差と同様の時間長のコンテンツを追加選択する。本実施の形態では、停止時間を６秒としているので、余剰時間表示用コンテンツの中から６秒の表示時間を持つコンテンツＣＹ４を選択する（コンテンツ選択パターン７）。これにより、表示制御部１４２は、既に選択済みのコンテンツＣ２の表示終了後にコンテンツＣＹ４をかご内表示器３に表示させる。このようにして、利用者Ａが行先階に到着するまでの間は、コンテンツをかご内表示器３に表示させることができる。
【００５５】
なお、ここでは、コンテンツ選択部１４１は、余剰時間表示用コンテンツの中からコンテンツを追加するようにしたが、表示していないコンテンツがあれば、そのコンテンツの表示時間と合算したコンテンツを再選択してもよい。図２，６の設定例によると、まだ表示していないコンテンツＣ２を、コンテンツＣ２とエレベーター走行時間の時間差（つまり、停止時間長）を合算した時間長のコンテンツＣ４に差し替えるようにしてもよい（コンテンツ選択パターン８）。
【００５６】
図７は、図６を用いて説明した表示制御により各表示器３，５に対する画面の表示の遷移を示す図である。
【００５７】
利用者Ａが乗り場Ａ（登録階Ａ）において行先階を登録すると（Ｓ２１）、表示制御部１４２は、利用者Ａ向けにコンテンツ“ＣＡ”を乗り場Ａの乗り場表示器５に表示させる。その後、利用者Ｂが乗り場Ｂ（登録階Ｂ）において行先階を登録すると（Ｓ２２）、表示制御部１４２は、利用者Ｂ向けにコンテンツ“ＣＢ”を乗り場Ｂの乗り場表示器５に表示させる。かご２が登録階Ｂに到着すると（Ｓ２３）、表示制御部１４２は、乗り場Ｂの乗り場表示器５及びかご内表示器３への表示を停止する。利用者Ｂがかご２に乗り込み、かご２が登録階Ａに向けての移動を開始すると（Ｓ２４）、表示制御部１４２は、利用者Ｂのためにコンテンツ“ＣＢ”をかご内表示器３に表示させる。かご２が登録階Ａに到着すると（Ｓ２５）、表示制御部１４２は、乗り場Ａの乗り場表示器５への表示を停止する。一方、かご２には、利用者Ｂが乗車したままなので、表示制御部１４２は、コンテンツ“ＣＢ”をかご内表示器３に続けて表示させる。利用者Ａがかご２に乗り込み、かご２が行先階に向けての移動を開始すると（Ｓ２６）、表示制御部１４２は、利用者Ａ，Ｂのためにコンテンツ“ＣＡ”，“ＣＢ”をかご内表示器３に表示させる。そして、かご２が行先階に到着すると（Ｓ２７）、表示制御部１４２は、かご内表示器３への表示を停止する。
【００５８】
上記説明したように、表示制御部１４２は、利用者Ａ，Ｂが同じかご２の乗車しているときには、かご内表示器３の画面を分割してコンテンツ“ＣＡ”，“ＣＢ”を同時に表示させることになる。なお、かご内表示器３にどのように画面分割してどの分割画面に表示させるかということは適宜決めればよい。仮に、各利用者Ａ，Ｂに対して同じコンテンツが選択され表示される場合には、各利用者に対応させて画面分割をせずに、そのコンテンツを単にかご内表示器３に表示させればよい。
【００５９】
前述したように、エレベーター走行時間が算出された後に、他の利用者が行先階の登録操作を行うと、そのエレベーター走行時間が算出されたときの停止階、登録階及び行先階以外の階にかご２が停止するようになる。上記説明では停止階から登録階Ａの間の階で他の利用者Ｂが登録操作を行う場合について説明した。ここでは、利用者Ａと同じ乗り場４において他の利用者Ｂが利用者Ａにより指定された行先階（以下、「行先階Ａ」という）とは異なる他の階（以下、「行先階Ｂ」という）を行先階として登録操作を行う場合について説明する。ここでは、「他の階」として登録階Ａと行先階Ａの間のいずれかの階とする。この場合、登録階Ａと行先階Ａとの間の行先階Ｂでかご２は停止することになる。エレベーター算出時間が延長され、また延長される場合のコンテンツの選択方法については、図６を用いて説明したので説明者省略するが、この場合の各表示器３，５に対する画面の表示の遷移について図８を用いて説明する。
【００６０】
利用者Ａが乗り場４において行先階Ａを登録すると（Ｓ３１）、表示制御部１４２は、利用者Ａ向けにコンテンツ“ＣＡ”を乗り場表示器５に表示させる。その後、利用者Ｂが、利用者Ａが登録操作したのと同じ乗り場４において行先階Ｂを登録すると（Ｓ３２）、表示制御部１４２は、利用者Ｂ向けにコンテンツ“ＣＢ”を乗り場表示器５に表示させる。すなわち、表示制御部１４２は、乗り場表示器５の画面を分割してコンテンツ“ＣＡ”，“ＣＢ”を同時に表示させる。かご２が乗り場４に到着すると（Ｓ３３）、表示制御部１４２は、乗り場表示器５及びかご内表示器３への表示を停止する。利用者Ａ，Ｂが共にかご２に乗り込み、かご２が行先階Ａ，Ｂに向けての移動を開始すると（Ｓ３４）、表示制御部１４２は、かご内表示器３の画面を分割してコンテンツ“ＣＡ”，“ＣＢ”を同時に表示させる。かご２が行先階Ｂに到着すると（Ｓ３５）、表示制御部１４２は、利用者Ｂが降車するので、かご内表示器３におけるコンテンツ“ＣＢ”の表示を停止させる。一方、かご２には、利用者Ａが乗車したままなので、表示制御部１４２は、コンテンツ“ＣＡ”をかご内表示器３に続けて表示させる。かご２が行先階Ａに向けての移動を開始した後もコンテンツ“ＣＡ”はかご内表示器３に続けて表示される。そして、かご２が行先階Ａに到着すると（Ｓ３７）、表示制御部１４２は、かご内表示器３への表示を停止する。
【００６１】
上記説明したように、複数の利用者が同じかご２に乗車しているときのかご内表示器３に対する表示制御と同様に、表示制御部１４２は、複数の利用者Ａ，Ｂが同じ乗り場でかご２を待っているときには、乗り場表示器５の画面を分割してコンテンツ“ＣＡ”，“ＣＢ”を同時に表示させることになる。
【００６２】
本実施の形態によれば、エレベーター走行時間と同じ時間長のコンテンツを選択し、その選択したコンテンツを乗り場表示器５からかご内表示器３に続けて表示させることができる。また、複数の利用者が同じ場所（かご２内又は乗り場４）にいるときには、各利用者に対応させて選択されたコンテンツを同じ画面上に同時に表示させるようにした。
【００６３】
以上説明した表示制御処理は、かご２個々に独立した処理なので、複数のかご２を有するエレベーター装置にも本発明を適用することは可能である。
【００６４】
なお、本実施の形態では、コンテンツをエレベーター走行時間との関係に従って選択することを特徴としているので、他の選択基準については特に言及しなかったが、他の選択基準を考慮して選択するようにしてもよい。他の選択基準としては、行先階（目的階）の階床属性、例えば目的階で開催されるイベントの有無やイベント内容、またコンテンツの種類（広告、階の案内等）、利用者の属性（性別、年齢層等）を参照してもよい。また、各コンテンツの種類と利用者との関係に基づきコンテンツに優先順位を設定してもよい。
【符号の説明】
【００６５】
１  エレベーター表示システム、２  かご、３  かご内表示器、４  乗り場、５  乗り場表示器、６  行先階登録操作盤、１１  操作受付部、１２  エレベーター（ＥＶ）運行制御部、１３  エレベーター（ＥＶ）走行時間算出部、１４  コンテンツ管理部、１５  コンテンツ情報記憶部、１４１  コンテンツ選択部、１４２  表示制御部。
【図１】
2019210082.tif 000003
【図２】
2019210082.tif 000004
【図３】
2019210082.tif 000005
【図４】
2019210082.tif 000006
【図５】
2019210082.tif 000007
【図６】
2019210082.tif 000008
【図７】
2019210082.tif 000009
【図８】
2019210082.tif 000010